(57)【特許請求の範囲】
【請求項１】
太陽電池と、該太陽電池の受光面側に設ける被覆部材とを有する時計用ソーラ文字板において、前記被覆部材が、模様状の凹凸部を上面に形成した透光性部材と、該透光性部材の上面を覆うように形成する中間層と、該中間層の表面を覆うように形成する透明保護層とを具備し、前記中間層が前記透光性部材と異なる光学的屈折率を有する透明被膜から成り、前記透光性部材の下面に光の透過性及び反射性の両方の性質を併せ持つ半透過・反射層を設け、前記透明保護層と前記透光性部材の光学的屈折率は前記中間層の光学的屈折率と比較して大きい値に設定され、また、前記半透過・反射層は梨地模様であることを特徴とする時計用ソーラ文字板。
【請求項２】
前記透明保護層の上面が平滑面を有することを特徴とする請求項１記載の時計用ソーラ文字板。
【発明の詳細な説明】
【０００１】
【発明の属する技術分野】
本発明は、時計などの文字板に関し、特に太陽電池を用いた時計用ソーラ文字板に関するものである。
【０００２】
【従来の技術】
時計用ソーラ文字板は、その下面側に配設される太陽電池（ソーラセル）に光を入射させるために透過性が要求される。従来、この時計用ソーラ文宇板は透過性が求められることからプラスチック、セラミック、ガラス等の透光性材料が使われる。特に、プラスチックは安価であること、成形や加工などが容易であることなどから非常に多く使われている。又、前記文字板の下面側に配設される太陽電池は独特の濃紫色を示し、見た目に心地よい色調を呈さない。このため太陽電池の濃紫色が見えない様にするため、文字板に様々の工夫が行われてきた。又、太陽電池の濃紫色が見えない工夫の下で文字板に立体的な模様を施して高級感を出現させる工夫も様々行われてきた。
【０００３】
これら従来技術の一つとして特開平１０−２５３７７３号公報に開示されたものがある。ここで開示された時計用ソーラ文字板の一例について図を用いて説明する。図９は、従来例における太陽電池付時計の断面図、図１０は、太陽電池付時計用ソーラ文字板の断面図、図１１は前記時計用ソーラ文字板の部分平面図である。図９に示すように、外胴ケース１に透明ガラスからなる風防２を設け、外胴ケース１とウラブタ３からなる外装内に、時計駆動用ムーブメント４を設ける。時針５、分針６、秒針７は、時計駆動用ムーブメント４内に設けられたステップモータ等を駆動源とし、輪列機構を介し駆動される。時計用ソーラ文字板８は、中央に時針５、分針６、秒針７を通す貫通穴があいており、時計駆動用ムーブメント４の上に配置されている。
【０００４】
次に時計用ソーラ文字板８の構造について説明する。図１０に示すように時計用ソーラ文字板８は、足部９を介して、圧入や、かしめ等により、時計駆動用ムーブメント４に固定される。又、基板１０の上に絶縁被膜１１を設け、その上に電極膜１２を設け、さらに太陽電池１３を重ねて配置し、透明電極１４でその上を覆う。透明電極１４の上部にはスペーサ１５を介し、被覆部材１６が配置され、被覆部材１６が反っていたり、外部からの衝撃等により被覆部材１６がたわんでも、太陽電池１３を直撃しない構造となっている。また、前記被覆部材１６は太陽電池１３がもつ多段分割線を見えなくするための役割をかねている。スペーサ１５は、光を透過しない物質で構成する。
【０００５】
前記被覆部材１６は、透光性部材１７の表面に複数の凹凸部１７ａが設けられている。前記凹凸部１７ａは四角錐で形成され、上面に金属からなる装飾パターン１８が配設されている。又、透光性部材１７の下面には、同じように金属からなる装飾パターン１９が配設されている。前記装飾パターン１８は、光が集光できるようにするため、透光性部材１７の上面に部分的に被覆されている。又、前記装飾パターン１９は、光が太陽電池１３に到達できるようにするため、透光性部材１７の下面に部分的に被覆されている。
【０００６】
図１１は、図１０における矢印ａ方向から覗いた被覆部材１６の部分平面図である。図１１で斜線が記入されている部分が装飾パターン１８であり、斜線が記入されていない部分が装飾パターン１９である。装飾パターン１８と装飾パターン１９との平面的な重ね合わせにより、太陽電池１３の全面を覆っている。したがって、矢印ａ方向から覗いた場合、時計用ソーラ文字板８の上面から太陽電池１３を見ることはできない。しかし、やや斜め方向の矢印ｂ方向からは太陽電池１３が見えるようになっている。
【０００７】
したがって、光を太陽電池１３まで到達させることができると同時に、太陽電池１３の濃紫色が見えない様にすることができるようになっている。更に、複数の凹凸部１７ａを設けることにより立体的な装飾パターンを実現しようとしたものである。
【０００８】
【発明が解決しようとする課題】
しかしながら前述の従来技術における時計用ソーラ文字板８の構成にあっては、透光性部材１７の上面において、装飾パターン１８が施されている部分の凹凸部１７ａは、その装飾パターン１８から反射される反射光が直接目に入るので十分な凹凸感を視認できるが、透光性部材１７の下面に施された装節パターン１９の位置に相当する透光性部材１７の上面側の凹凸部１７ａにおいては、凹凸感が薄れて見え、全体的な凹凸感を十分に視認することができない。このため立体感のある凹凸模様を表現することが難しく、十分な深みのある凹凸感をもち且つ高級感のある外観品質を有する時計用ソーラ文字板を得ることが困難であるという問題があった。
【０００９】
（発明の目的）
そこで本発明は、このような従来の課題を解決し、被覆部材の下方に配置された太陽電池の濃紫色を目立たせないようにすると同時に、複数の凹凸部からなる模様が立体的に十分視認でき、更に、深みを持った凹凸模様を出現させて高級感を感じさせる時計用ソーラ文字板を提供することを目的とする。
【００１０】
【課題を解決するための手段】
前述した目的を達成するために、本発明のうちで請求項１に係わる時計用ソーラ文字板は、太陽電池と、該太陽電池の受光面側に設ける被覆部材とを有する時計用ソーラ文字板において、前記被覆部材が、模様状の凹凸部を上面に形成した透光性部材と、該透光性部材の上面を覆うように形成する中間層と、該中間層の表面を覆うように形成する透明保護層とを具備し、前記中間層が前記透光性部材と異なる光学的屈折率を有する透明被膜から成り、前記透光性部材の下面に光の透過性及び反射性の両方の性質を併せ持つ半透過・反射層を設け、前記透明保護層と前記透光性部材の光学的屈折率は前記中間層の光学的屈折率と比較して大きい値に設定され、また、前記半透過・反射層は梨地模様であることを特徴とする。
【００１５】
又、前記透明保護層の上面が平滑面を有することを特徴とする。
【００１６】
（作用）
本発明は、前記透光性部材の下面に半透過・反射層を設けると共に、前記透光性部材と前記透明保護層との間に屈折率の異なる透明被膜を設けることによって、前記透光性部材を透過し、前記半透過・反射層で反射した光に大きな屈折を発生させる。これによって、前記透光性部材の上面に形成する複数の凹凸部が立体的に視認できるという効果を有するものである。
【００１７】
或いは、前記透光性部材と前記透明保護層との間に前記半透過・反射膜設けることによって、前記透光性部材の複数の凹凸部の表面に形成される前記半透過・反射膜で反射される光が目に届くようになる。このため前記複数の凹凸部が鮮明に視認できるという効果を有するものである。以下、本発明の実施の形態により詳述する。
【００１８】
【発明の実施の形態】
（第１の実施形態）
図１、図２、図３は本発明における時計用ソーラ文字板の第１の実施形態を説明するための図である。図１は、本実施形態ににおける時計用ソーラ文字板を示す断面図、図２は、時計用ソーラ文字板上面に形成される模様状の凹凸部の例を示す斜視図、図３は、図１の部分拡大図である。以下、図１、図２、図３を用いて第１の実施形態における時計用ソーラ文字板について説明する。尚、前記従来例と同一部分については同一番号を付与してその説明は簡略する。
【００１９】
図１に示すように時計用ソーラ文字板８ａは、基板１０の上に太陽電池１３を配置し、更にスペーサ１５を介し、被覆部材２６が配置されている。
前記被覆部材２６は、模様状の凹凸部としてのピアジェカット模様２１ａを上面に形成した透光性部材２１と、該透光性部材の上面を覆うように形成する中間層としての前記透光性部材と異なる光学的屈折率を有する透明被膜２２と、該透明被膜２２の表面を覆うように形成する平滑面を有する透明保護層２３から構成されている。
【００２０】
前記透光性部材２１は、透明なプラスチック板でポリカーボ樹脂からなる。又、前記透光性部材２１の上面には模様状の凹凸部として、図２に示すようなピアジェカット模様２１ａが設けられている。更に、前記透光性部材２１の下面には、光の透過性及び反射性の両方の性質を併せ持つ半透過・反射層として梨地模様２１ｂが設けられている。この梨地模様２１ｂは光散乱及び反射させる目的で設けるもので、太陽電池の濃紫色はここで散乱されるので濃紫色の色調が和らいで、濃紫色として見えなくなってくる。一方、外光の一部はここで反射される。前記透光性部材２１は溶融した樹脂を金型で成型する射出成形で形成され、同時にピアジェカット模様２１ａ、梨地模様２１ｂも形成する。
【００２１】
透明被膜２２は、フッ化マグネシウムを蒸着して形成した透明被膜であり、前記透光性部材２１と異なる光学的屈折率を有する。このフッ化マグネシウムの蒸着膜の光の屈折率は１．３７８で、前記透光性部材２１の材料であるポリカーボ樹脂の光の屈折率１．５８４と比して約０．２位屈折率が小さい。この透明被膜２２は前記透光性部材２１の上面に形成されるピアジェカット模様２１ａの表面に形成されている。尚、透明被膜２２の膜厚は、特に限定されるものではないが、蒸着膜の形成を考慮すると１０００オングストロームが適当である。
【００２２】
前記平滑面を有する透明保護層２３は、アクリル樹脂からなりクリヤー塗装などを施してラッピングすることによって得られる。この平滑面は平坦で滑らかな面で光沢の現れた表面である。この透明保護層２３は前記フッ化マグネシウムの蒸着膜からなる透明被膜２２の表面に形成されている。
【００２３】
前述のように、本実施形態による時計用ソーラ文字板における前記被覆部材２６は、上面に模様状の凹凸部を有する透光性部材２１と、平滑面を有する透明保護層２３との間に、中間層としてフッ化マグネシウムの蒸着膜からなる透明被膜２２を設けたことにある。
【００２４】
単に、透光性部材２１の凹凸面上に透明保護層２３を形成した場合、アクリル樹脂からなる塗料膜である透明保護層２３の光の屈折率は１．４９で前記透光性部材２１の材料であるポリカーボ樹脂の光の屈折率１．５８４と比して非常に近い値である。このため、光の屈折が小さく、透光性部材２１の下面に形成され梨地模様が見えることになり、模様状の凹凸部、即ちピアジェカット模様２１ａがはっきりと現れず、十分に視認する事ができない。
【００２５】
これに対して本実施形態における被覆部材２６の構成によれば、図３に示すように、光ａは透明保護層２３に入射し屈折して光ａ１となってフッ化マグネシウムの蒸着膜からなる透明被膜２２に入射する。ここで更に、屈折して光ａ２となって透光性部材２１に入射し屈折して光ａ３となって梨地模様２１ｂを照射する。この時、アクリル樹脂からなる透明保護層２３の光の屈折率１．４９、フッ化マグネシウムの蒸着膜からなる透明被膜２２の光の屈折率は１．３７８、前記ポリカーボ樹脂からなる透光性部材２１の光の屈折率は１．５８４と、それぞれ異なり屈折率の差が大きいため、境界面で大きな光の屈折がおきる。
【００２６】
前記透光性部材２１に入射した光ａ３の一部は、光ａ４となって梨地模様２１ｂを透過し、太陽電池（図示せず）の受光面を十分な光量で照射する。このため、時計としての駆動に十分な太陽光を太陽電池に与えることができる。更に太陽電池（図示せず）から反射する光ｂ１は、その大部分が梨地模様２１ｂで散乱、反射され光ｂ２となる。尚、反射光の一部は透光性部材２１を透過して外部に放射されるが、透光性部材２１に形成したピアジェカット模様２１ａの凹凸部で不規則な屈折を起こして外部に放射するので、透過光の多くが大きく分散されてしまう。このため、太陽電池の濃紫色を目立たせないようにすることができる。
【００２７】
又、前記光ａ３の一部は梨地模様２１ｂで反射され光ａ５となり、ピアジェカット模様２１ａから透明被膜２２に入射する時に屈折し光ａ６となる。更に透明被摸２２から透明保護層２３に入射するときにも屈折が起き光ａ７となる。その後、透明保護層２３から外部に放射するときにも更に屈折が生じ、光ａ８となる。この様に前記透光性部材２１と前記透明保護層２３との間に屈折率の異なる透明被膜２２を設けることによって２度の屈折が大きく発生するので、ピアジェカット模様２１ａの凹凸が良く視認される様になる。これは、屈折率が大きく異なる透明被膜を介在させる程その凹凸ははっきりと視認されるようになってくる。
【００２８】
更に、平滑面を有する透明保護層２３が有ることによって、ピアジェカット模様２１ａが美しく見えることと同時に模様に深みが現れて見え、時計用ソーラ文字板に高級感をもたらす効果を得ることができる。又、透明保護層２３は、ピアジェカット模様２１ａのキズなどに対する保護の役目も有する。
【００２９】
以上のように本実施形態における時計用ソーラ文字板によれば、時計としての駆動に十分な光を太陽電池に与えることができると共に、太陽電池の濃紫色の目立たない時計用ソーラ文字板を提供する事ができる。更に、透光部材の表面に形成するピアジェカット模様２１ａの凹凸が十分視認でき、立体的で高級感を感じさせる時計用ソーラ文字板を実現することができる。
【００３０】
尚、本実施形態においては透明被膜２２として、フッ化マグネシウムを蒸着した透明被膜を例として説明したが、酸化インジウムと錫をドーピングして得られたＩＴＯ粉末を蒸着源として蒸着した透明被膜においても同様の効果を得ることが出来る。又特に透明被膜に限定するものではなく、多少色が付いたものでも透過率が十分に有れば差し支えない。
【００３１】
又、本実施形態においては、透光性部材２１の下面に半透過・反射層として梨地模様を設けているが、半透過・反射層としては透過性と反射性の両方の機能を持つもので有れば良く薄く施した金属蒸着膜や塗料膜なども選択できるものである。
【００３２】
（第２の実施形態）第２の実施形態を参考例１として示す。（以下、第２の実施形態は参考例１である。）図４、図５、図６は本発明における時計用ソーラ文字の第２の実施形態を説明するための図である。図４は、本実施形態における時計用ソーラ文字板を示す断面図、図５は、時計用ソーラ文字板上面に形成される模様状の凹凸部の例を示す斜視図、図６は、図４の部分拡大図である。以下、図４、図５、図６を用いて第２の実施形態における時計用ソーラ文字板について説明する。尚、第１の実施形態と同一部分については同一番号を付与してその説明は簡略する。
【００３３】
図４に示すように時計用ソーラ文字板８ｂは、太陽電池１３の上部に被覆部材２７が配置されている。前記被覆部材２７は、模様状の凹凸部としてのストライプ模様３１ａを上面に形成した透光性部材３１と、該透光性部材３１の上面を覆うように形成する中間層として光の透過性及び反射性の両方の性質を併せ持つ半透過・反射膜である金属蒸着膜２４と、該金属蒸着膜２４の表面を覆うように形成する平滑面を有する透明保護層２３から構成されている。
【００３４】
前記透光性部材３１は、透明なプラスチック板でポリカーボ樹脂からなる。又、前記透光性部材３１の上面には模様状の凹凸部として、図５に示すようなストライプ模様３１ａが設けられている。本実施形態における透光性部材３１は、第１の実施形態における透光性部材２１と異なり、下面に梨地模様が設けられておらず平面に加工されている。又、前記透光性部材３１は、第１の実施形態と同様に射出成形で形成し、同時にストライプ模様３１ａも形成する。
【００３５】
前記金属蒸着膜２４は、光を透過する作用と反射する作用の両方を持っているもので、太陽電池に十分な発電量を得るために少なくとも２０％以上の透過率を必要とする。又、金属蒸着膜の膜厚と光の透過率との関係は、膜厚２００オングストロームで透過率が約２０％、膜厚１００オングストロームで透過率が約３０〜４０％、膜厚５０オングストロームで金属色が薄く見える程度である。従って金属蒸着膜に半透過・反射機能を持たせるためには、金属蒸着膜膜厚の範囲を５０〜２００オングストロームに設定することが望ましく、膜厚が概ね１００オングストローム位が特に好ましい。
【００３６】
前記金属蒸着膜２４の蒸着源としては、アルミニウム、クロム、ニッケル、銀、金などの金属が選択出来る。又、前記金属蒸着膜２４の膜厚の適正値は、どの金属についてもほぼ同様である。この蒸着膜２４は前記透光性部材３１の上面に形成されるストライプ模様３１ａの表面に形成されている。
【００３７】
前記平滑面を有する透明保護層２３は、第１の実施形態と同様であり、説明を省略する。
【００３８】
前述のように、本実施形態における被覆部材２６の構成によれば、図６に示すように、光ａ１の一部が前記ストライプ模様３１ａの表面に形成した金属蒸着膜２４から反射し、光ａ２として目に届くので、前記ストライプ模様３１ａの凹凸がはっきりと視認されて、鮮明な凹凸模様が確認される。しかも、その表面は、薄い金属色を帯びた金属調の凹凸模様が現れる。更に、平滑な透明保護層２３があることによって深みを帯びた凹凸模様として視認される。
【００３９】
又、前記光ａ１の一部の光ａ３は金属蒸着膜２４を透過し、更に透光部材３１を透過し太陽電池（図示しない）の受光面を十分な光量で照射するため、時計としての駆動に十分な光を太陽電池に与えることができる。更に太陽電池（図示せず）から反射された光ｂ１は透光部材３１を透過し、その大部分が金属蒸着膜２４で反射され光ｂ２となる。尚、反射光の一部は金属蒸着膜２４を透過して外部に放射されるが、透光性部材３１に形成したストライプ模様３１ａの凹凸部で不規則な屈折を起こして外部に放射するので、透過光の多くが大きく分散されてしまう。このため、太陽電池の濃紫色を目立たせないようにすることができる。
【００４０】
以上のように本実施形態におけるに時計用ソーラ文字板よれば、ストライプ模様３１ａの凹凸面上に形成した半透過・反射膜である金属蒸着膜２４から反射した光が直接目に届くので、金属調のストライプ模様３１ａが鮮明に視認でき、立体的で高級感を感じさせる時計用ソーラ文字板を実現することができる。
又、第１の実施形態と同様に、時計としての駆動に十分な光を太陽電池に与えることができると共に、太陽電池の濃紫色の目立たない時計用ソーラ文字板を提供する事ができる。
【００４１】
（第３の実施形態）第３の実施形態を参考例２として示す。（以下、第３の実施形態は参考例２である。）図７、図８は本発明における時計用ソーラ文字版を説明するための図である。図７は本実施形態における時計用ソーラ文字板を示す断面図、図８は、図７の部分拡大図である。以下、図７、図８を用いて第３の実施形態における時計用ソーラ文字板について説明する。尚第２の実施形態と同一部分については同一番号を付与してその説明は簡略する。
【００４２】
図７に示すように本実施形態おける時計用ソーラ文字板８ｃは太陽電池１３の上部に被覆部材２８が配置されている。前記被覆部材２８は、模様状の凹凸部としてのストライプ模様３１ａを上面に形成した透光性部材３１と、該透光性部材３１の上面を覆うように形成する中間層として光の透過性及び反射性の両方の性質を併せ持つ半透過・反射膜である雲母２９を含有する塗料膜２５と、該塗料膜２５の表面を覆うように形成する平滑面を有する透明保護層２３から構成されている。
【００４３】
前記透光性部材３１及び透明保護層２３は、第２の実施形態と同様であるため説明を省略する。
【００４４】
前記塗料膜２５を形成する塗料は、ポリウレタン樹脂やアクリルウレタン樹脂などのバインダーに溶剤や硬化剤などと共に雲母２９を２〜３重量％を配合して生成する。又、塗布方法は塗装面が凹凸面であるため吹きつけ塗装が適している。この雲母２９を含有する塗料膜２５は、雲母２９の反射性を利用するもので、第２の実施形態と同様に光を透過する作用と反射する作用の両方を持っているが、太陽電池に十分な発電量を得るために少なくとも２０％以上の透過率を必要とする。この透過率を確保するためには、前記雲母２９を含有する塗料膜２５の膜厚の範囲として５〜１５μが好ましく、特に１０μが好ましい。
【００４５】
前述のように、本実施形態における被覆部材２８の構成によれば、図８に示すように、光ａ１は前記ストライプ模様３１ａの表面に形成した塗料膜２５の中に混合されている雲母２９で反射し、光ａ２として目に届く。この結果パール調の色調が輝いて見えるストライプ模様３１ａが視認できる。
【００４６】
又、他の光ｃ１は塗料膜２５を透過し、更に透光部材３１を透過し光ｃ２となって太陽電池（図示しない）の受光面を十分な光量で照射するため、時計としての駆動に十分な光を太陽電池に与えることができる。更に太陽電池（図示せず）から反射された光ｂ１は透光部材３１を透過した後、その大部分が塗料膜２５に含有される雲母２９で反射され光ｂ２となる。尚、反射光の一部は塗料膜２５を透過して外部に放射されるが、透光性部材３１に形成したストライプ模様３１ａの凹凸部で不規則な屈折を起こして外部に放射するので、透過光の多くが大きく分散されてしまう。このため、太陽電池の濃紫色を目立たせないようにすることができる。
【００４７】
以上のように本実施形態におけるによれば、ストライプ模様３１ａの凹凸面上に形成した半透過・反射膜としての塗料膜２５に含有される雲母２９で反射した光が直接目に届くので、パール調の色調が現れたストライプ模様３１ａが鮮明に視認される。更に、平滑な透明保護層２３があることによって深みの帯びたストライプ模様として視認される。又、第２の実施形態と同様の効果を得ることが出来、立体的で高級感を感じさせる時計用ソーラ文字板を実現することができる。
【００４８】
尚、本発明の実施形態においては、透明部材の材料としてポリカーボ樹脂を例として説明したが、透明なアクリル樹脂あるいは透明なガラス板でも構成することができる。又、無色透明なものに限られることなく、光の透過性が確保できれば着色されたものも使用できる。
【００４９】
又、実施形態においては、説明を省略したが、時計用文字板の時字（図示せず）は、前記透明保護層２３上に印刷あるいは小片を貼り付けることによって形成される。
【００５０】
又、本発明の実施形態においては、模様状の凹凸部の例として、ピアジェカット模様、ストライプ模様で説明したが、この他に、旭光模様、サークル模様、編目模様、格子模様、ローレットカット模様等も使用可能である。又、使用する模様としては、文字板全面に渡って均一性の取れた模様が好ましく、一種類の模様、あるいは二種類の模様を組み合わせて使うのが好ましい。
【００５１】
【発明の効果】
以上説明したように、本発明に係る時計用ソーラ文字板によれば、太陽電池を覆う被覆部材を、透明部材、光の透過性及び反射性の両方の性質を併せ持つ半透過・反射膜からなる中間層、透明保護層から構成することにより、太陽電池の受光面を十分な光量で照射し、時計としての駆動に十分な太陽光を太陽電池に与えることができると共に、太陽電池の濃紫色を目立たせないようにすることができる。更に、透光部材の表面に形成する模様状の凹凸部が十分視認でき、立体的で高級感を感じさせる時計用ソーラ文字板を実現することができる。この結果、時計用文字板としての外観品質、装飾効果を一段と高めることができる。
【図面の簡単な説明】
【図１】本発明の第１の実施形態における時計用ソーラ文字板の断面図である。
【図２】本発明の第１の実施形態における時計用ソーラ文字板の部分平面図で、文字板上面に形成される模様状の凹凸部の例である。
【図３】図１の部分拡大図である。
【図４】本発明の第２の実施形態における時計用ソーラ文字板の断面図である。
【図５】本発明の第２の実施形態における時計用ソーラ文字板の部分平面図で、文字板上面に形成される模様状の凹凸部の例である。
【図６】図４の部分拡大図である。
【図７】本発明の第３の実施形態における時計用ソーラ文字板の断面図である。
【図８】図７の部分拡大図である。
【図９】従来例における太陽電池付時計の断面図である。
【図１０】従来例における太陽電池付時計用文字板の断面図である。
【図１１】従来例における太陽電池付時計用文字板の部分平面図である。
【符号の説明】
１    外胴ケース
２    風防
３    ウラブタ
４    時計駆動用ムーブメント
５    時針
６    分針
７    秒針
８、８ａ、８ｂ、８ｃ  時計用ソーラ文字板
９    足部
１０  基板
１１  絶縁被膜
１２  電極膜
１３  太陽電池
１４  透明電極
１５  スペーサ
１６  被覆部材
１７  透光性部材
１７ａ  透光性部材の凹凸部
１８  装飾パターン
１９  装飾パターン
２１  透光性部材
２１ａ  ピアジェカット模様
２１ｂ  梨地模様
２２  フッ化マグネシウムからなる透明被膜
２３  透明保護層
２４  金属蒸着膜
２５  雲母を含有する塗料膜
２６、２７、２８  被覆部材
２９  雲母
３１  透光性部材
３１ａ  ストライプ模様
【図１】
0004803921.tif 000002
【図２】
0004803921.tif 000003
【図３】
0004803921.tif 000004
【図４】
0004803921.tif 000005
【図５】
0004803921.tif 000006
【図６】
0004803921.tif 000007
【図７】
0004803921.tif 000008
【図８】
0004803921.tif 000009
【図９】
0004803921.tif 000010
【図１０】
0004803921.tif 000011
【図１１】
0004803921.tif 000012